(57)【特許請求の範囲】
【請求項１】
暗号化ディジタル情報を配信するコンテンツ配信者と、前記暗号化ディジタル情報を受信する利用者と、暗号化ディジタル情報を再生するための鍵情報を格納する媒体と、前記コンテンツ配信者と前記利用者の間または前記利用者と他の利用者の間で前記媒体を用いて鍵情報および該鍵情報の移動に相当する金額情報を取り引きする鍵情報取り引き装置とからなる著作権保護システムにおいて、
前記媒体を複数設け、
前記媒体に、それぞれ鍵情報を格納する鍵格納手段と、著作権使用料の情報と鍵情報の移動に伴う手数料の情報を格納する第１の媒体内で利用者が取り扱うことができない第１の金額格納部と、著作権使用料の情報をコンテンツ配信者に移送する際に前記鍵情報の移動に伴う手数料の情報を格納する第１の媒体内で利用者が利用できる第２の金額格納部からなる金額格納手段を設け、
前記鍵情報取り引き装置を介して、前記鍵情報を前記コンテンツ配信者から前記媒体の鍵格納手段に鍵情報を取得するとともに、前記鍵情報取り引き装置を介して、該鍵情報の移動に相当する金額情報を前記コンテンツ配信者へ移送するようにし、かつ、第２の媒体が、前記鍵情報取り引き装置を介して前記鍵情報を第１の媒体から受け取り、前記鍵情報取り引き装置を介して鍵情報の移動に相当する金額情報を前記第１の媒体へ移送するようにした
著作権保護システム。
【請求項２】
複数の利用者の間で前記媒体を用いて鍵情報および鍵情報の移動に相当する金額情報を取り引きする鍵情報取り引き装置を介して、第２の媒体の鍵格納手段に第１の媒体から鍵情報を取得するとともに、該鍵情報の移動に相当する金額情報を第２の媒体から第１の媒体の金額格納手段の第１の金額格納部に移送するようにした請求項１に記載の著作権保護システム。
【請求項３】
前記第１の媒体に、鍵情報を消去する消去手段を設け、前記第１の媒体に格納された鍵情報を第２の媒体に移動する場合に、第１の媒体の鍵格納手段に格納された鍵情報を前記消去手段によって消去するようにした請求項１または請求項２に記載の著作権保護システム。
【請求項４】
前記鍵情報の移動に相当する金額情報が、著作権使用料の情報である請求項１ないし請求項３のいずれか１項に記載の著作権保護システム。
【請求項５】
前記鍵情報の移動に相当する金額情報が、著作権使用料の情報と鍵情報の移動に伴う手数料の情報である請求項１ないし請求項４のいずれか１項に記載の著作権保護システム。
【請求項６】
前記媒体が、ＩＣカードである請求項１ないし請求項５のいずれか１項に記載の著作権保護システム。
【請求項７】
請求項１ないし請求項６のいずれか１項に記載された著作権保護システムに用いる媒体において、暗号化ディジタル情報を再生するための鍵情報を格納する鍵記憶手段と、著作権使用料の情報と鍵情報の移動に伴う手数料の情報を格納する第１の媒体内で利用者が取り扱うことができない第１の金額格納部と、著作権使用料の情報をコンテンツ配信者に移送する際に前記鍵情報の移動に伴う手数料の情報を格納する第１の媒体内で利用者が利用できる第２の金額格納部からなる金額情報を格納する金額格納手段と、鍵情報および金額情報を送受信する接続部と、鍵情報および金額情報の入出力を制御する制御手段とを設けた著作権保護システムに用いる媒体。
【請求項８】
鍵情報を消去する消去手段を設け、鍵情報格納手段に格納された鍵情報を他の媒体に移動したときに鍵情報格納手段に格納された鍵情報を削除する手段を設けた請求項７に記載の著作権保護システムに用いる媒体。
【請求項９】
鍵情報を他の媒体に移動したときに他の媒体から受け取る鍵情報の移動に相当する金額を金額格納手段の第１の金額格納部に格納するようにした請求項８に記載の著作権保護システムに用いる媒体。
【請求項１０】
請求項１ないし請求項６のいずれか１項に記載された著作権保護システムに用いる鍵情報取り引き装置において、媒体との間で鍵情報および金額情報の読み書きを行う読み書き手段と、演算処理装置を設け、媒体とコンテンツ配信者の間で鍵情報および金額情報を取り引きするようにした著作権保護システムに用いる鍵情報取り引き装置。
【請求項１１】
媒体との間で鍵情報および金額情報の読み書きを行う読み書き手段を複数設け、複数の媒体間で鍵情報および金額情報を取り引きするようにした請求項１０に記載の著作権保護システムに用いる鍵情報取り引き装置。
【請求項１２】
請求項１０または請求項１１に記載の鍵情報取り引き装置を組み込んだディジタル情報再生ユニットにおいて、暗号化されたディジタル情報が格納された媒体からディジタル情報を読み取るディジタル情報読み取り手段と、ディジタル情報読み取り手段からの暗号化ディジタル情報と鍵情報取り引き装置において前記媒体の鍵格納手段から取得した鍵情報を用いて暗号化ディジタル情報から再生情報を生成する再生手段とを設けた著作権保護システムに用いるディジタル情報再生ユニット。
【発明の詳細な説明】
【０００１】
【発明の属する技術分野】
本発明は、ディジタルデータの著作権を保護するシステムおよび該著作権保護システムに用いる装置に関し、ディジタルデータを提供するコンテンツ配信者とそのディジタルデータを利用する利用者の間で著作権使用料を回収するだけでなく、特に、オフラインの利用者同士の間におけるディジタルデータの流通形態においても著作権使用料を回収できるようにした著作権保護システムおよび該システムに用いる装置に関する。
【０００２】
【従来の技術】
近年、インターネットやディジタル放送などの通信システムの普及に伴い、映画・音楽・プログラム・電子新聞・電子書籍といったディジタルデータが、これら通信システムなどにより提供・販売されるようになってきている。しかしながら、ディジタルデータの保護は不完全であり、ディジタルデータの不正利用も多くなってきている。
【０００３】
従来、ソフトウェアの利用状況に関して、権利者が把握できるようにする方法として特公平６−１９７０７号公報が、また、有償プログラムの購入や売り戻すことを可能にする方法として特公平６−２８０３０号公報などの提案がある。しかし、いずれもオフラインの利用者同士の間で流通されるディジタルデータの取り引きの際に、自由にディジタルデータの価格設定をすることができるような仕組みにはなっていない。
【０００４】
【発明が解決しようとする課題】
映画・音楽・プログラム・電子新聞・電子書籍といったディジタルデータの著作権使用料の回収方式に関して、特に、利用者同士の間でのディジタルデータの取り引きの際に発生する金額の決定にあたり、使用されるディジタルデータの著作権使用料を確保しつつ、その取り引きによる手数料を自由に設定できるようにした著作権保護システムなどを提供することを目的とする。さらに、この取り引きがオンラインだけでなく、オフラインの状況においても成立するようにした著作権保護システムなどを提供することを目的とする。
【０００５】
これらの課題を解決することによって、コンテンツ配信者と利用者の間でのディジタルデータの取り引き時における著作権の保護だけなく、利用者同士の間でのディジタルデータの取り引き時における著作権の保護も可能となる。
【０００６】
【課題を解決するための手段】
上記課題を解決するために、本発明は、暗号化ディジタル情報を配信するコンテンツ配信者と、前記暗号化ディジタル情報を受信する利用者と、暗号化ディジタル情報を再生するための鍵情報を格納する媒体とからなる著作権保護システムにおいて、前記媒体に、鍵情報を格納する鍵格納手段と、金額情報を格納する金額格納手段を設け、前記媒体の鍵格納手段に鍵情報を取得するとともに、該鍵情報の移動に相当する金額情報を移送するようにした。
【０００７】
本発明は、上記著作権保護システムにおいて、前記鍵情報を前記コンテンツ配信者から受け取り、該鍵情報の移動に相当する金額情報を前記コンテンツ配信者へ移送するようにした。
【０００８】
本発明は、上記著作権保護システムにおいて、前記コンテンツ配信者と前記利用者の間で前記媒体を用いて鍵情報および該鍵情報の移動に相当する金額情報を取り引きする鍵情報取り引き装置を設け、前記鍵情報取り引き装置を介して、前記コンテンツ配信者から前記媒体の鍵格納手段に鍵情報を取得するとともに、該鍵情報の移動に相当する金額情報をコンテンツ配信者に移送するようにした。
【０００９】
本発明は、上記著作権保護システムにおいて、前記媒体を複数設け、第２の媒体が、前記鍵情報を第１の媒体から受け取り、鍵情報の移動に相当する金額情報を前記第１の媒体へ移送するようにした。
【００１０】
本発明は、上記著作権保護システムにおいて、複数の利用者の間で前記媒体を用いて鍵情報および鍵情報の移動に相当する金額情報を取り引きする鍵情報取り引き装置を設け、前記鍵情報取り引き装置を介して、第２の媒体の鍵格納手段に第１の媒体から鍵情報を取得するとともに、該鍵情報の移動に相当する金額情報を第２の媒体から第１の媒体の金額格納手段に移送するようにした。
【００１１】
本発明は、上記著作権保護システムにおいて、前記第１の媒体に、鍵情報を消去する消去手段を設け、前記第１の媒体に格納された鍵情報を第２の媒体に移動する場合に、第１の媒体の鍵格納手段に格納された鍵情報を前記消去手段によって消去するようにした。
【００１２】
本発明は、上記著作権保護システムにおいて、前記鍵情報の移動に相当する金額情報を、著作権使用料の情報とした。
【００１３】
本発明は、上記著作権保護システムにおいて、前記鍵情報の移動に相当する金額情報を、著作権使用料の情報と鍵情報の移動に伴う手数料の情報とした。
【００１４】
本発明は、上記著作権保護システムにおいて前記第１の媒体に前記金額格納手段を複数設け、第２の媒体から移送された金額情報のうち、少なくとも著作権使用料の情報を第１の媒体内で利用者が取り扱うことができない金額格納手段に格納するようにした。
【００１５】
本発明は、上記著作権保護システムにおいて、前記第１の媒体に設けた複数の金額格納手段のうち第１の媒体内で利用者が取り扱うことができない金額格納手段に著作権使用料の情報と鍵情報の移動に伴う手数料の情報を格納し、著作権使用料の情報をコンテンツ配信者に移送する際に、鍵情報の移動に伴う手数料の情報を第１の媒体内で利用できる金額格納手段に移すようにした。
【００１６】
本発明は、上記著作権保護システムにおいて、前記媒体を、ＩＣカードとした。
【００１７】
本発明は、上記著作権保護システムに用いる媒体おいて、暗号化ディジタル情報を再生するための鍵情報を格納する鍵記憶手段と、金額情報を格納する金額格納手段と、鍵情報および金額情報を送受信する接続部と、鍵情報および金額情報の入出力を制御する制御手段とを設けた。
【００１８】
本発明は、上記著作権保護システムに用いる媒体おいて、前記金額格納手段を複数個設けた。
【００１９】
本発明は、上記著作権保護システムに用いる媒体おいて、鍵情報を消去する消去手段を設け、鍵情報格納手段に格納された鍵情報を他の媒体に移動したときに鍵情報格納手段に格納された鍵情報を削除する手段を設けた。
【００２０】
本発明は、上記著作権保護システムに用いる媒体おいて、前記金額格納手段を複数設け、鍵情報を他の媒体に移動したときに他の媒体から受け取る鍵情報の移動に相当する金額を該媒体内で利用者が取り扱うことができない金額格納手段に格納するようにした。
【００２１】
本発明は、上記著作権保護システムに用いる鍵情報取り引き装置体おいて、媒体との間で鍵情報および金額情報情報の読み書きを行う読み書き手段と、演算処理装置を設け、媒体とコンテンツ配信者の間で鍵情報および金額情報を取り引きするようにした。
【００２２】
本発明は、上記著作権保護システムに用いる鍵情報取り引き装置体おいて、媒体との間で鍵情報および金額情報情報の読み書きを行う読み書き手段を複数設け、
複数の媒体間で鍵情報および金額情報を取り引きするようにした。
【００２３】
本発明は、上記著作権保護システムに用いる鍵情報取り引き装置を組み込んだディジタル情報再生ユニットにおいて、暗号化されたディジタル情報が格納された媒体からディジタル情報を読み取るディジタル情報読み取り手段と、ディジタル情報読み取り手段からの暗号化ディジタル情報と鍵情報取り引き装置において前記媒体の鍵格納手段から取得した鍵情報を用いて暗号化ディジタル情報から再生情報を生成する再生手段とを設けた。
【００２４】
【発明の実施の形態】
以下、本発明の実施例を説明する。
【００２５】
はじめに、図２を用いて、本発明にかかる著作権保護システムが適用されるディジタルデータ配信システムの概要について説明する。
【００２６】
音楽・プログラム・映画・電子新聞・電子書籍などの暗号化等が施されたディジタルデータは、コンテンツ配信者７のサーバからインターネットや電話回線などの有線や衛星放送などの無線の通信システム９を介して無料で利用者１に提供される。
【００２７】
ディジタルデータを利用したいＡ利用者１ａは、まず暗号化等が施されたディジタルデータ７１０をダウンロードし、何らかの記録メディアに記録する。
【００２８】
ディジタルデータの利用にあたって、暗号化等が施されたディジタルデータを再生するための鍵情報７５０が必要になるので、この鍵情報をコンテンツ配信者７から有料で（著作権および手数料８を支払って）購入し、鍵情報７５０を格納できる媒体に入れておく。
【００２９】
Ａ利用者が記録メディアに格納されたディジタルデータ７１０を利用する場合には、暗号化等が施されたディジタルデータ７１０が格納された記録メディアと鍵情報７５０が格納された媒体からディジタルデータを再生する再生ユニットを用いて利用することになる。
【００３０】
以上は、オンラインで接続された場合の利用形態であるが、オフラインにおいてもディジタルデータを提供できる。
【００３１】
オフラインであるＢ利用者１ｂの場合は、 まずＡ利用者１ａなどの記録メディアからディジタルデータ７１０を複写する。この場合、ディジタルデータは暗号化等が施されているため、利用者同士の間において複写されても何ら問題はなく、逆にオフラインにおける利用者拡大のため積極的に行われたほうがよい形態になっている。
【００３２】
次に、既にこのディジタルデータ７１０の鍵情報７５０を購入していたＡ利用者１ａから、鍵情報７５０を有料で購入し、Ｂ利用者１ｂが所有する媒体に格納する。この時、鍵情報７５０を提供したＡ利用者１ａの媒体内の鍵情報７５０は消去され、鍵情報７５０の販売金額（著作権使用料および手数料）８がＡ利用者１ａの媒体に格納される。この金額はＡ利用者１ａは利用できず、Ａ利用者１ａが後で配信者７に接続し，著作権使用料を移送した場合に、手数料がＡ利用者１ａに回収される。
【００３３】
Ｂ利用者１ｂがディジタルデータを利用する際には、再生ユニットを用いて暗号化ディジタルデータ７１０を鍵情報７５０で復号化して利用する。
【００３４】
このディジタルデータ配信システムでは、ディジタルデータ７１０は暗号化等が施されているため、自由に配布してよい。利用者は、鍵情報７５０を購入することによりはじめてディジタルデータを利用できるようになる。このシステムを用いれば、著作権の保護管理の元で、オンライン、オフラインを問わずにディジタルデータの提供および利用ができる。
【００３５】
次に、このディジタルデータ配信システムに適用される著作権保護システムを実現するための１実施例について、図１を用いて説明する。この実施例では，第１の利用者（以下、Ａ利用者という）１ａが、コンテンツ配信者７から取得した鍵情報７５０を第２の利用者（以下、Ｂ利用者という）１ｂに転売する場合を想定している。図１は、ディジタルデータ配信システムで鍵情報を格納する媒体としてＩＣカード１０を使用し、ＩＣカード内の鍵情報を取り引きするための鍵情報取り引き装置５０の構成を示したものである。本明細書において、複数の利用者が関する構成要素に付す符号にはａ，ｂ，ｃなどの添え字を付している。説明上、利用者を区別する必要がない場合には添え字を除いて説明する。
【００３６】
利用者１が所有するＩＣカード１０は、ディジタルデータを再生するための鍵情報を格納する鍵記憶部１０１と、電子マネー情報を格納する金額記憶部１０３と、ＩＣカード１０を所有する利用者が取り扱うことができない電子マネー情報を格納する記憶部１０５と、電子マネー情報や鍵情報の読み込みまたは書き込みもしくは消去を行う制御部１０７と、接続部１０９を有して構成される。
【００３７】
鍵情報の取り引きを行うための鍵情報取り引き装置５０は、ＩＣカード１０ａ内の情報を読み書きする読み書き部５０１と、ＩＣカード１０ｂ内の情報を読み書きする読み書き部５０２と、メモリ５０６内に格納された制御プログラムによって制御される演算処理部５０３と、取り引きに関する情報を指示する入力キー５０４と、取り引きに関する情報を表示する表示部５０５と、制御プログラムを格納したメモリ５０６と、コンテンツ配信者７と通信するためのＩ／Ｏ部５０７とを有して構成される。
【００３８】
このＩＣカード、鍵情報取り引き装置を用いてディジタル配信システムを実現した場合のディジタルデータ、金額情報、鍵情報等の具体的な流れについて、図３、図４、図５を用いて説明する。ここで、ディジタルデータは暗号化されているとする。
【００３９】
図３はコンテンツ配信者と利用者間における暗号化ディジタルデータの入手と該ディジタルデータの利用の概要を示した図である。
【００４０】
このディジタルデータ配信システムは、利用者１とコンテンツ配信者７のコンテンツサーバ７１との間を通信システム９を介して接続するとともに、コンテンツ配信者７の課金サーバ７３および鍵管理サーバ７５と利用者１のＩＣカード１０との間を鍵情報取り引き装置５０と通信システム９を介して接続して構成される。
【００４１】
利用者１は、ＩＣカード１０と、記録メディア１２とを有しており、さらにコンテンツ処理装置３０を用いて暗号化ディジタルデータ７１０を復調し再生する。
【００４２】
ＩＣカード１０は、ディジタルデータを再生するための鍵情報７５０を格納する鍵記憶部１０１と、電子マネー情報を格納する金額記憶部１０３と、ＩＣカード１０ａを所有する利用者が取り扱うことができない電子マネー情報を格納する記憶部１０５とを有して構成される。
【００４３】
コンテンツ処理装置３０は、記録メディア再生ユニット３１と、ＩＣカード挿入口３３を有している。
【００４４】
鍵情報取り引き装置５０は、図１で既に述べた構成を有している。
【００４５】
コンテンツ配信者７は、各種の暗号化ディジタルデータ７１０ｐ，７１０ｎ，７１０ｍを格納したコンテンツサーバ７１と、著作権使用料格納領域７３１と、手数料格納領域７３２を有する課金サーバ７３と、暗号化ディジタルデータ７１０に対応した鍵情報７５０ｐ，７５０ｎ，７５０ｍを格納した鍵管理サーバ７５を有している。
【００４６】
コンテンツ配信者７は、コンテンツサーバ７１から暗号化ディジタルデータ７１０を提供する。利用者１は、利用したい暗号化ディジタルデータ７１０を選択し、通信システム９を介して、記録メディア１２にダウンロードする。暗号化ディジタルデータ７１０には、コンテンツ識別情報７１２が付されている。
【００４７】
利用者は、暗号化ディジタルデータ７１０をコンテンツ処理装置３０で利用するために、鍵情報を購入する必要がある。以前に利用者同士の間での取り引きがない場合、まず利用者は鍵情報取り引き装置５０を使い、コンテンツ識別情報７１２をコンテンツ配信者７の鍵管理サーバ７５に通信システムを介して送付する。
【００４８】
鍵管理サーバ７５では、コンテンツ識別情報７１２に対応する鍵情報７５０を用意し、送付準備をする。
【００４９】
課金サーバ７３では、利用者１から、該当ディジタルデータの著作権使用料８１と取り引き手数料８２を、通信システム９および鍵情報取り引き装置５０を介してＩＣカード１０の金額記憶部１０３から電子マネーで徴収する。著作権使用料８１は、著作権使用料格納領域７３１に、手数料８２は、手数料格納領域７３２２格納される。取り引きにおいて問題がなければ、鍵管理サーバ７５から該当する鍵情報７５０を利用者１に送付する。利用者１はこれをＩＣカード１０に格納する。
【００５０】
暗号化ディジタルデータ７１０をコンテンツ処理装置３０で利用する際には、鍵情報７５０が格納されたＩＣカード１０が必要となる。コンテンツ処理装置３０において、ＩＣカード１０内に格納された鍵情報７５０で暗号化ディジタルデータ７１０を復号化することでディジタルデータの利用が可能となる。
【００５１】
図４を用いて、Ａ利用者１ａとＢ利用者１ｂの間で暗号化ディジタルデータおよび鍵情報を転売して利用する場合を説明する。利用したい暗号化ディジタルデータ７１０をＡ利用者１ａが持っている場合、Ｂ利用者１ｂは、Ａ利用者１ａの記録メディア１２ａに格納された暗号化ディジタルデータ７１０を記録メディア１２ｂに複写する。
【００５２】
Ｂ利用者１ｂは、この暗号化ディジタルデータ７１０をコンテンツ処理装置３０で利用するには、鍵情報７５０を購入する必要がある。そこで、Ｂ利用者１ｂは、鍵情報７５０を持っているＡ利用者のＩＣカード１０ａに鍵情報取り引き装置５０を使いコンテンツ識別情報７１２を送付する。ＩＣカード１０ａでは、コンテンツ識別情報７１２から該当する鍵情報７５０を用意し送信準備をする。
【００５３】
Ａ利用者１ａは、鍵情報取り引き装置５０を使い取り引き手数料８２を設定し、該当ディジタルデータの著作権使用料８１と取り引き手数料８２を、鍵情報取り引き装置５０を使いＢ利用者１ｂのＩＣカード１０ｂの金額記憶部１０３ｂから電子マネーで徴収し、Ａ利用者１ａのＩＣカード１０ａの記憶部１０５ａに格納する。この取り引きにおいて問題がなければ、Ａ利用者のＩＣカード１０ａから鍵情報７５０を、鍵情報取り引き装置５０を介してＢ利用者１ｂのＩＣカード１０ｂの鍵記憶部１０１ｂに格納する。この時、Ａ利用者１ａのＩＣカード１０ａの鍵記憶部１０１ａに格納された鍵情報７５０は消去される。
【００５４】
また、Ａ利用者１ａのＩＣカード１０ａの記憶部１０５ａに格納された電子マネー情報は、Ａ利用者１ａは使用することはできず、配信者７により取り扱われる。
【００５５】
Ｂ利用者１ｂがディジタルデータ７１０をコンテンツ処理装置３０で利用する際には、鍵情報７５０が格納されたＩＣカード１０ｂが必要となる。コンテンツ処理装置３０において、鍵情報７５０を用いて暗号化ディジタルデータ７１０を復号化することでディジタルデータを利用できる。
【００５６】
図５を用いて、Ａ利用者１ａのＩＣカード１０ａの記憶部１０５ａに電子マネー情報がある場合に、コンテンツ配信者７がＡ利用者１ａから著作権使用料を回収する動作の概要を説明する。
【００５７】
前述のように、Ａ利用者１ａがＢ利用者１ｂに鍵情報７５０を移転した場合、Ａ利用者１ａのＩＣカード１０ａの記憶部１０５ａには、鍵情報７５０の取り引きによって発生した著作権使用料８１と手数料８２が存在する。この記憶部１０５ａに格納された電子マネーは、Ａ利用者１ａが利用することができないようにロックされており、記憶部鍵情報７３３で解錠される。
【００５８】
このようなＩＣカード１０ａの記憶部１０５ａに著作権使用料８１と手数料８２が格納されている状態で、Ａ利用者１ａが再び他の鍵情報７５０をコンテンツ配信者７から購入する場合や手数料８２を取得しようとする場合について説明する。
【００５９】
Ａ利用者１ａがコンテンツ配信者７に接続すると、まずはじめに、コンテンツ配信者７は記憶部１０５ａに著作権使用料８１が格納されているかを通信システム９および鍵情報取り引き装置５０を介してＩＣカード１０ａに確認する。記憶部１０５ａに著作権使用料８１が存在する場合には、コンテンツ配信者７の課金サーバ７３は、記憶部鍵情報７３３を用いてＩＣカード１０ａの記憶部１０５ａのロックを解除し、著作権使用料８１を課金サーバ７３の著作権使用料格納領域７３１に回収するとともに、手数料８２をＡ利用者１ａの金額記憶部１０３ａに転送する。
【００６０】
このように、利用者同士の間で取り引きをした場合に発生した手数料８２を取得したいＡ利用者１ａはコンテンツ配信者７に接続して著作権使用料８１をコンテンツ配信者７に移送してから手数料８２を取得しなければならないので、コンテンツ配信者７は著作権使用料８１を確実に回収することが可能になる。この例では、コンテンツ配信者７は通信システム９を介して著作権使用料８１を回収したが、この手法以外に、店舗等において、店舗側のＩＣカードを用意し、鍵情報取り引き装置５０を用いて店舗側ＩＣカードに著作権使用料８１を回収してもよい。
【００６１】
また、図４の利用者同士の間で鍵情報を取り引きする際に、手数料８２をＡ利用者１aのＩＣカード１０ａの記憶部１０５ａに格納したが、金額記憶部１０３ａ、あるいは、Ｂ利用者１ｂのＩＣカード１０ｂ内の記憶部１０５ｂに格納してもよい。前者の場合、Ａ利用者１ａは、コンテンツ配信者７に接続することなく手数料８２を入手できるようになる。また後者の場合には、Ｂ利用者１ｂがＩＣカード１０ｂをコンテンツ配信者７に接続しないと、著作権使用料８１および手数料８２を入手できない。そのため、コンテンツ配信者７が著作権使用料８１を確実に回収するには、Ｂ利用者１ｂがコンテンツ配信者７に接続するための仕掛けとして、著作権使用料８１の数％を利用者に還元するとか、ポイントを与えるということが必要になる。
【００６２】
また、図３のコンテンツ配信者７と利用者１間での鍵情報の取り引きや利用者同士の間での鍵情報の取り引きの際に、鍵情報７５０を購入者側の公開鍵や、取り引き間における共通鍵で暗号化することで、著作権がより強固に保護されることになる。
【００６３】
次に、Ａ利用者１ａとＢ利用者１ｂの間における鍵情報の具体的な取り引き例を図６を用いて説明する。ここで、ディジタルデータを再生するための鍵情報７５０は購入者（Ｂ利用者１ｂ）側の公開鍵で暗号化することで著作権の保護を強化する。また、この鍵情報の取り引きによって発生した際の手数料は、著作権使用料と共に鍵情報の提供者（Ａ利用者１ａ）が取り扱うことができない鍵情報提供者側の記憶部１０５ａに格納されることとする。
【００６４】
Ａ利用者１ａおよびＢ利用者１ｂが有するＩＣカード１０ａ，１０ｂは、それぞれ鍵記憶部１０１と、秘密鍵記憶部１０２と、金額記憶部１０３と、公開鍵記憶部１０４と、記憶部１０５と、来歴情報記憶部１０６と、演算処理部１０７と、接続部１０９と、復号化部１１１と、暗号化部１１２と、電子マネーアプリケーション１記憶部１１３と、鍵管理アプリケーション記憶部１１４と、電子マネーアプリケーション２記憶部１１５とを有して構成される。
【００６５】
鍵情報取り引き装置５０は、第１のカード読み書き部５０１と、第２のカード読み書き部５０２と、演算処理部５０３と、入力キー５０４と、表示部５０５と、端末鍵管理アプリケーションを記憶するメモリ５０６と、Ｉ／Ｏ部５０７とを有して構成される。
【００６６】
ここで、ＩＣカード１０ａをＡ利用者１ａが所有し、ＩＣカード１０ｂをＢ利用者１ｂファイル所有していることとする。
【００６７】
図７を用いて、本発明で用いるＩＣカードのファイル構成を説明するとともに、Ａ利用者１ａのＩＣカード１０ａのファイルの内容を具体的に説明する。
【００６８】
ＩＣカード１０のファイルは、Master File（以下、ＭＦという）をルートとして、その下位にDirectory File（以下、ＤＩＲという)、Answer To Reset File（以下、ＡＴＲという)、複数のDedicated File（以下、ＤＦという）を有して構成される。複数のＤＦとして、電子マネー情報を制御するためのアプリケーションＤＦ１、ＤＦ３と、ディジタルデータ利用のための鍵管理アプリケーションＤＦ２が設けられている。
【００６９】
ＤＦ１（電子マネーアプリケーション１記憶部１１３）の下には、金額情報が格納されるElementary File(以下、ＥＦという)が設けられ、金額記憶部１０３を形成する。ＤＦ２の下には、ディジタルデータ利用のために必要な鍵管理情報を記憶するファイルであり、秘密鍵情報を記憶するＥＦ１（秘密鍵記憶部１０２）と、公開鍵情報を記憶するＥＦ２（公開鍵記憶部１０４）と、ディジタルデータ利用のための鍵情報を記憶するＥＦ３（鍵記憶部１０１）と、鍵情報の取り引き来歴を来歴情報として記憶するＥＦ４（来歴情報記憶部１０６）とが設けられている。ＥＦ３に記憶されるディジタルデータ利用のための鍵情報は、ＥＦ２に記憶された公開鍵で暗号化された状態で記憶されている。ＤＦ３の下には、利用者同士の間で取り引きされた場合に発生する著作権使用料と手数料を記憶するＥＦ（記憶部１０５）が設けられる。
【００７０】
鍵管理アプリケーション記憶部１１４に記憶された鍵管理アプリケーションは、秘密鍵、公開鍵、鍵情報、来歴情報を管理している。また、鍵管理アプリケーションは、電子マネーアプリケーション１、電子マネーアプリケーション２と連携して動作することが可能である。
【００７１】
鍵記憶部（ＥＦ３）１０１に格納される鍵情報７５０は、図８に示すように、ディジタルデータを利用するための復号鍵７５１と、ディジタルデータを識別するためのコンテンツ識別情報７５２と、ディジタルデータの著作権使用料を示すコンテンツ使用料７５３と、鍵の使用を制限するためのコンテンツ制御符号７５４から構成されていて、公開鍵で鍵情報が暗号化されているとする。
【００７２】
来歴情報記憶部（ＥＦ４）１０６に記憶される来歴情報７１１は、図９に示すように、コンテンツ識別情報７１１１と、コンテンツ使用料７１１２と、手数料７１１３から構成されているとする。
【００７３】
ここで、それぞれのＩＣカード１０ａ，１０ｂの電子マネーアプリケーション１記憶部１１３、電子マネーアプリケーション２記憶部１１５に格納されているアプリケーションは同一の方式で電子マネー情報を扱うものであり、鍵情報取り引き装置５０から送られてくる特定の情報に従いそれぞれが管理しているＥＦにある金額情報の制御を行う。また、これらアプリケーション間において金額情報の受け取り、支払いができ、金額情報は￥や＄など複数の通貨を取り扱うことができるものとする。
【００７４】
Ａ利用者１ａのＩＣカード１０ａには、図７に示したように３個のディジタルデータa、b、cの鍵情報（暗号化ａ鍵情報、暗号化ｂ鍵情報、暗号化ｃ鍵情報）がＥＦ２に格納された公開鍵で暗号化された状態で格納されている。また、このＩＣカード１０ａは、パスワードなどにより所有者に対して認証が行えるものとする。
【００７５】
図１０を用いて、Ｂ利用者１ｂのＩＣカード１０ｂのファイルの内容を具体的に説明する。
【００７６】
ＩＣカード１０ｂ内のファイルの構成は図７のＩＣカード１０ａの場合と同じであり、構造の説明は割愛する。図７のＥＦ３には、暗号化ａ鍵情報、暗号化ｂ鍵情報、暗号化ｃ鍵情報の３つの鍵情報が記憶されていたのに対し、図１０では何も記憶されていない状態になっている。
【００７７】
図６のＩＣカード１０の電子マネーアプリケーション１記憶部１１３は、図７および図１０のＤＦ１に、金額記憶部１０３はＤＦ1の下位のＥＦに、鍵管理アプリケーション記憶部１１４はＤＦ２に、秘密鍵記憶部１０２はＥＦ１に、公開鍵記憶部１０４はＥＦ２に、鍵記憶部１０１はＥＦ３に、来歴情報記憶部１０６はＥＦ４に、電子マネーアプリケーション２記憶部１１５はＤＦ３に、記憶部１０５はＤＦ３下位のＥＦに相当する。
【００７８】
鍵情報を取り引きするためのプログラム（端末鍵管理ＡＰ）は、鍵情報取り引き装置５０のメモリ５０６に格納されている。また、鍵情報取り引き装置５０から送られてくる特定の情報に従い動作するＩＣカード内のアプリケーション（以下、鍵管理カードＡＰという）はＩＣカード１０内の鍵管理アプリケーション記憶部１１４に格納されている。
【００７９】
鍵情報の取り引きを行う利用者は、鍵情報取り引き装置５０を用いて鍵情報、および金額情報の取り引きを行う。鍵情報取り引き装置５０で、端末鍵管理ＡＰを演算処理部５０３で実行させ、表示部５０５に表示された内容を見て、入力キー５０４の操作により端末鍵管理ＡＰに指示を与える。この端末鍵管理ＡＰがＩＣカードと情報を入出力する場合には、ＩＣカード１０ａに対しては、第１のカード読み書き部５０１および接続部１０９ａを介して、ＩＣカード１０ｂに対しては、第２のカード読み書き部５０２および接続部１０９ｂ介して行う。
【００８０】
ＩＣカード内の演算処理部１０７で実行されるプログラムは、端末鍵管理ＡＰから送られてくる特定の情報に従って切り替わる。
【００８１】
図１１を用いて、ＩＣカード１０ｂを所有しているＢ利用者１ｂがＩＣカード１０ａを所有しているＡ利用者１ａから、a鍵情報を購入する場合のコンテンツ使用料とて数量の決済処理を行う場合の、鍵情報取り引き装置５０のメモリ５０６に格納された端末鍵管理ＡＰのプログラム動作フローについて説明する。
【００８２】
ＩＣカード１０ａをカード読み書き部５０１に、ＩＣカード１０ｂをカード読み書き部５０２に挿入して鍵情報の取り引きを開始すると、ＩＣカード１０ａの演算処理部１０７ａでは鍵管理アプリケーション記憶部１１４ａに格納されている鍵管理カードＡＰが、ＩＣカード１０ｂの演算処理部１０７ｂでは鍵管理アプリケーション記憶部１１４ｂに格納されている鍵管理カードＡＰが、鍵情報取り引き装置５０のメモリ５０６に格納された端末鍵管理ＡＰから送られてくる特定の情報により選択され、動作する（Ｓ１）。
【００８３】
次に、ＩＣカード１０ａとＩＣカード１０ｂ間での共通の決済手段のリストを表示部５０５に表示し、入力キー５０４により共通の決済手段を選択決定する（Ｓ２）。この時、ＩＣカード１０ａの電子マネーアプリケーション２記憶部１１５ａ、ＩＣカード１０ｂの電子マネーアプリケーション１記憶部１１３ｂに格納されているアプリケーションが利用されることが決定される。
【００８４】
次に、Ａ利用者１ａのカード１０ａの鍵記憶部１０１ａに格納された鍵情報（ＥＦ３）から暗号化a鍵情報内のコンテンツ使用料￥α(ａ)を入手する（Ｓ３）。ａ鍵情報取り引き前のＩＣカード１０ａの鍵記憶部１０１ａ内に格納された鍵情報ＥＦ３の内容は、図１２（Ａ）に示すように、デジタルデータを再生するための鍵データと、コンテンツ識別情報と、コンテンツ使用料と、コンテンツ制御符号から構成される。今、ＩＣカード１０ａには、３個の暗号化鍵情報が格納されているとする。暗号化ａ鍵情報は鍵データＡＸＸＸＸＸとコンテンツ情報０００ａとコンテンツ使用料￥α（ａ）から、暗号化ｂ鍵情報は鍵データＢＸＸＸＸＸとコンテンツ情報０００ｂとコンテンツ使用料￥α（ｂ）から、暗号化ｃ鍵情報は鍵データＣＸＸＸＸＸとコンテンツ情報０００ｃｂとコンテンツ使用料￥α（ｃ）からそれぞれ構成されている。
【００８５】
ステップＳ３の処理において、ＩＣカード１０ａ内では、鍵管理アプリケーション１１４ａに格納されている鍵管理カードＡＰの処理により、鍵記憶部１０１ａに格納された暗号化a鍵情報が、復号化部１１１ａで秘密鍵記憶部１０２ａの秘密鍵により復号化され、a鍵情報内のコンテンツ使用料が読み出される。そして、a鍵情報は再暗号化準備状態になる。
【００８６】
Ａ利用者１ａが、a鍵情報の取り引き手数料￥β(ａ)を入力キー５０４により入力する（Ｓ４）と、Ｂ利用者１ｂのＩＣカード１０ｂの金額記憶部１０３ｂ内に格納された残高に関する情報を入手する（Ｓ５）。
【００８７】
ついで、ＩＣカード１０ｂの金額記憶部１０３ｂの残高が、（￥α(ａ)＋￥β(ａ)）以上であるか否かを判断する（Ｓ６）。
【００８８】
ステップＳ６で、残高が（￥α(ａ)＋￥β(ａ)）以上でない場合（Ｎｏ）、表示部５０５に“残高不足”と表示し（Ｓ７）、取り引き処理を終了する。
【００８９】
ステップＳ６で、残高が（￥α(ａ)＋￥β(ａ)）以上の場合（Ｙｅｓ）、Ｂ利用者１ｂの公開鍵を公開鍵記憶部１０４ｂから入手し、ＩＣカード１０ａに送る（Ｓ８）。
【００９０】
この公開鍵を受け取ったＩＣカード１０ａは、ＩＣカード１０ｂの金額記憶部１０３ｂから取り引き手数料￥β（ａ）を引き出し、この手数料￥β（ａ）を記憶部１０５ａに格納する決済処理を開始する（Ｓ９）。
【００９１】
この決済が正常に終了した場合、ＩＣカード１０ｂの金額記憶部１０３ｂでは￥β(ａ)が引かれ、ＩＣカード１０ａの記憶部１０５ａでは￥β(ａ)が加算された状態になる。
【００９２】
次に、ＩＣカード１０ａは、ＩＣカード１０ｂの金額記憶部１０３ｂからコンテンツ使用料￥α(ａ)を引き出し、このコンテンツ使用料￥α(ａ)を記憶部１０５ａに格納する決済処理を開始する（Ｓ１０）。
【００９３】
決済が正常終了した場合には、ＩＣカード１０ｂの金額記憶部１０３ｂでは￥α（ａ）が引かれ、カード１０ａの記憶部１０５ａでは￥α（ａ）が加算された（￥α（ａ）＋￥β（ａ））の状態になる。
【００９４】
ＩＣカード１０ａとＩＣカード１０ｂとの間でコンテンツ使用料および手数料の決済が終了すると、ＩＣカード１０ａとＩＣカード１０ｂ内では再暗号化準備状態から鍵情報引き渡し処理が開始される。再暗号化準備状態にあったa鍵情報は、暗号化部１１２ａにおいて入手したＩＣカード１０ｂの公開鍵で暗号化されて暗号化a鍵情報とされ、鍵情報取り引き装置５０を介してＩＣカード１０ｂの鍵記憶部１０１ｂに格納される。この時、ＩＣカード１０ａの鍵記憶部１０１ａから暗号化a鍵情報が消去される。
【００９５】
また、ＩＣカード１０ａの来歴情報記憶部１０６ａには、図１３に示すようにaディジタルデータのコンテンツ識別情報０００ａとaディジタルデータのコンテンツ使用料￥α(ａ)と手数料￥β(ａ)がa来歴情報として記憶される。この情報は後に、Ａ利用者１ａが配信者７に接続した場合に利用されるものである。
【００９６】
以上の処理によって、Ａ利用者１ａとＢ利用者１ｂとの間で、コンテンツ使用料および手数料の決済を含む鍵情報の取り引きが行われる。この鍵情報の取り引きの結果、Ａ利用者１ａ所有のＩＣカード１０ａ内におけるＥＦ３内の鍵情報内容は、図１２（Ｂ）に示すように、暗号化ａ鍵情報が削除されている。
【００９７】
この例において、記憶部１０５ａにあるコンテンツ使用料と手数料は、Ａ利用者が利用できないような電子マネーアプリケーションにしてもよい。
【００９８】
以上の処理は、さらに他の利用者同士の間で行われてもよい。また、鍵情報の取り引きにおいて、コンテンツ制御符号部分を、取り引きカウンタとして使用すれば、鍵情報の取り引き回数を制限することが可能となる。また、コンテンツ制御符号部分を劣化蓄積情報として使用すれば、鍵情報の取り引き時において鍵情報に劣化情報を付加することができ、コンテンツ処理装置３０で利用する際ディジタルデータに制限をかけることが可能となる。
【００９９】
この例においては、取り引き時に発生した手数料は、鍵情報の提供元１ａの記憶部１０５ａに格納する場合を示したが、取り引きに発生した手数料を提供元１ａの金額記憶部１０１ａに格納するように、ＩＣカードおよび鍵情報取り引き装置のアプリケーションを変更してもよい。また、購入先１ｂの記憶部１０５ｂに著作権使用料と手数料を格納してもよい。
【０１００】
これらの場合、配信者７が利用者１から著作権使用料を回収するには、著作権使用料の数％をポイント情報として与え、このポイント情報により安く鍵情報が購入できるなどのサービスを提供することによって、利用者１が配信者７に積極的に接続するようにできる。
【０１０１】
次に、前記Ｂ利用者１ｂと取り引きした後のＡ利用者１ａが、コンテンツ処理装置３０でｂディジタルデータを再生する場合の具体例について説明する。このコンテンツ処理装置３０には、ディジタルデータを再生するための再生ユニット３１の他に、外部の配信者側サーバと通信することができるＩ／Ｏ部５０７を持った前記鍵情報取り引き装置５０が組み込まれているものとする。
【０１０２】
図１４にコンテンツ処理装置の構成の１例を示す。ＩＣカード１０ａと鍵情報取り引き装置５０の構成は、それぞれ図６に示した構成と同じことから割愛する。ここで異なるのは、鍵情報取り引き装置５０が、再生ユニット３１とともにコンテンツ処理装置３０に組み込まれており、再生ユニット３１を制御するための再生制御アプリケーションと、ＩＣカード１０ａの記憶部１０５ａにある電子マネー情報をコンテンツ配信者７へ移送（回収）するための回収制御アプリケーションが、端末鍵管理アプリケーションとともにメモリ５０６に記憶されている点である。
【０１０３】
再生ユニット３１は、ディジタルデータが記録された記録メディア１２からディジタルデータを読み取るための読み取り部３２と、読み取り部３２からのデジタルデータをＩＣカード１０ａから読み取った演算処理部５０３からの鍵情報が入力され暗号化ディジタルデータを復号化し再生信号を生成するための再生部３５と、再生部３５からの再生信号を音声に変換するスピーカ３７から構成されている。
【０１０４】
Ａ利用者１ａが、ｂディジタルデータを利用する場合、ｂディジタルデータが記録されたメディア１２と、Ａ利用者１ａが所有するＩＣカード１０ａをコンテンツ処理装置３０にセットする。このときの、コンテンツ処理装置３０の演算処理部５０３での動作フローを図１５を用いて説明する。
【０１０５】
まず、Ａ利用者１ａ所有のＩＣカード１０ａが鍵情報取り引き装置５０のカード読み書き部５０１にセットされると、ＩＣカード１０ａの鍵管理ＡＰ記憶部１１４ａの鍵管理カードＡＰを選択し、鍵管理処理を実行する（Ｓ２１）。次に、ＩＣカード１０ａ内の来歴情報記憶部１０６ａの来歴情報を取得し（Ｓ２２）、来歴情報が記憶されているか否かを判断する（Ｓ２３）。
【０１０６】
ステップＳ２３において、取得した情報が、来歴情報があることを示す場合（Ｙｅｓ）には、まず、コンテンツ配信者７への著作権使用料の移送（回収）および手数料の回収処理を行う。そうでない場合（Ｎｏ）には、入力キー５０４からの指示に従い再生ユニット３２を制御し、ディジタルデータの再生を行う。
【０１０７】
来歴情報があり（ａ来歴情報：コンテンツ識別情報；０００ａ、コンテンツ使用料；￥α（ａ）、手数料；￥β（ａ）、図１３参照）、コンテンツ配信者７への著作権使用料￥α（ａ）８１の移送（回収）および手数料￥β（ａ）８２の回収処理を行う場合、コンテンツ処理装置３０をＩ／Ｏ部５０７および通信システム９を介して配信者７に接続する（Ｓ２４）。
【０１０８】
次に、コンテンツ配信者７から送られてきた記憶部鍵情報７３３で、記憶部１０５ａのロックを解除する（Ｓ２５）。そして、記憶部１０５ａに格納された電子マネー情報のうち、著作権使用料￥α（ａ）を回収しコンテンツ配信者７に移送する（Ｓ２６）。また、同様に記憶部１０５ａの電子マネー情報のうち、手数料￥β（ａ）をＡ利用者１ａが使用する金額記憶部１０３ａに格納し、手数料を回収する（Ｓ２７）。
【０１０９】
ここで、著作権使用料￥α（ａ）８１の移送および手数料￥β（ａ）８２の回収処理は、来歴情報記憶部１０６ａにある来歴情報に基づいて行う。この例の場合、図１３に示すように、￥α(ａ)を著作権使用料として、￥β(ａ)を手数料として行うことになる。
【０１１０】
ステップＳ２３において来歴情報がない場合（Ｎｏ）、あるいはステップＳ２７において著作権使用料￥α（ａ）の移送および手数料￥β(ａ)の回収処理が完了した場合には、まず、鍵記憶部１０１ａにある暗号化ｂ鍵情報を復号化部１１１ａで復号した後、ｂ鍵情報を再生ユニット３２の再生部３５に送り（Ｓ２８）、入力キー５０４からの指示に従い、再生処理を開始させる（Ｓ３０）。
【０１１１】
以上の例では、著作権使用料の移送（回収）処理および再生処理を行う機能を持ったコンテンツ処理装置３０について説明したが、それぞれの機能を別の専用装置で行うようにしてもよい。
【０１１２】
また、鍵情報の利用にあたって、コンテンツ制御符号部分を、利用カウンタとして使用すれば、ディジタルデータの利用回数を制限できる。また、コンテンツ制御符号部分に日付情報を格納し、これをディジタルデータの利用時にコンテンツ処理装置側にある日付情報と比較すれば利用期間の制限をかけることができる。
【０１１３】
ここで、ＩＣカード１０ａとＩＣカード１０ｂの電子マネーアプリケーション１、電子マネーアプリケーション２は、それぞれ同一のアプリケーションであってもいいし、異なったものでもよい。また、ディジタルデータの記録メディア１２としては、電子マネー情報、鍵情報を格納したＩＣカードであってもよい。また、電子マネーアプリケーションで扱われる電子マネー情報としては、￥や＄などの通貨を示す情報であってもよい。さらに、ディジタルデータは、圧縮された形式で配布されてもよい。
【０１１４】
さらに、鍵情報、金額情報の移動を制御する手段をＩＣカードに設けた実施例を説明したが、制御手段は、鍵情報や金額情報の移動を制御するプログラムに従っており、このプログラムは、販売者からのディジタルコンテンツ購入時に鍵情報とともにＩＣカードに書き込まれる。
【０１１５】
【発明の効果】
本発明では、配信者と利用者間では勿論のこと、利用者同士の間においても、ディジタルデータの著作権使用料を回収することがオンライン、オフラインを問わず可能となる。また、利用者同士の間のディジタルデータの取り引きにおいては、著作権使用料を確保しつつ、ディジタルデータを提供する利用者側が自由に手数料を設定できるので、ディジタルデータの拡販が期待できる。以上のことから、ディジタルデータの配信者、ディジタルデータの権利者においては、著作権使用料を高い確率で回収できる。また、利用者においては低コストでディジタルデータを購入、利用できる効果もある。
【図面の簡単な説明】
【図１】本発明にかかる著作権使用料の回収を実現する手段の構成を示す図。
【図２】本発明にかかるよる著作権保護システムの概要を示す図。
【図３】本発明にかかるコンテンツ配信者と利用者間におけるディジタルデータの購入と利用の概要を示す図。
【図４】本発明にかかるＡ利用者とＢ利用者の間におけるディジタルデータの購入と利用の概要を示す図。
【図５】コンテンツ配信者と利用者間における著作権使用料回収の概要を示す図。
【図６】本発明で用いるＩＣカードと鍵情報取り引き装置の構成の構成を示す図。
【図７】本発明で用いる第１のＩＣカードのファイル構成を示す図。
【図８】本発明で用いる鍵情報の内容を示す図。
【図９】本発明で用いる来歴情報の内容を示す図。
【図１０】本発明で用いる第２のＩＣカードのファイル構成を示す図。
【図１１】本発明による鍵情報取り引き装置の動作フローを示す図。
【図１２】本発明で用いるＩＣカード内の鍵情報の内容を示す図。
【図１３】本発明で用いるＩＣカード内の来歴情報の内容を示す図。
【図１４】本発明によるＩＣカードとコンテンツ処理装置の構成を示す図。
【図１５】本発明によるコンテンツ処理装置の動作フローを示す図。
【符号の説明】
１  利用者
７  コンテンツ配信者
８  手数料
８１  著作権使用料
８２  手数料
９  通信システム
１０  カード
１０１  鍵記憶部
１０２  秘密鍵記憶部
１０３  金額記憶部
１０４  公開鍵記憶部
１０５  記憶部
１０６  来歴情報記憶部
１０７  演算処理部
１０９  接続部
１１１  復号化部
１１２  暗号化部
１１３  電信マネー１アプリケーション記憶部
１１４  鍵管理アプリケーション記憶部
１１５  電子マネー２アプリケーション記憶部
１２  記録メディア
３０  コンテンツ処理装置
３１  再生ユニット
３２  読み取り装置
３３  カード挿入口
３５  再生部
３７  スピーカ
５０  鍵情報取り引き装置
５０１  カード読み書き部
５０２  カード読み書き部
５０３  演算処理部
５０４  入力キー
５０５  表示部
５０６  メモリ
５０７  Ｉ／Ｏ部
７１  コンテンツサーバ
７１０  暗号化ディジタルデータ
７１１  来歴情報
７１１１  コンテンツ識別情報
７１１２  コンテンツ使用料
７１１３  手数料
７１２  コンテンツ識別情報
７３  課金サーバ
７３１  著作権使用料格納領域
７３２  手数料格納領域
７３３  記憶部鍵情報
７５  鍵管理サーバ
７５０  鍵情報
７５１  鍵
７５２  コンテンツ識別情報
７５３  コンテンツ使用料
７５４  コンテンツ制御符号
【図１】
0004046924.tif 000002
【図２】
0004046924.tif 000003
【図３】
0004046924.tif 000004
【図４】
0004046924.tif 000005
【図５】
0004046924.tif 000006
【図６】
0004046924.tif 000007
【図７】
0004046924.tif 000008
【図８】
0004046924.tif 000009
【図９】
0004046924.tif 000010
【図１０】
0004046924.tif 000011
【図１１】
0004046924.tif 000012
【図１２】
0004046924.tif 000013
【図１３】
0004046924.tif 000014
【図１４】
0004046924.tif 000015
【図１５】
0004046924.tif 000016